(57)【特許請求の範囲】
【請求項１】
粘度が２０００ｍＰａ・ｓ以下である液状ビスフェノールＦ型エポキシ樹脂中に、有機溶剤の実質的不存在下かつ６０℃以下の温度にて、ゴム状ポリマーから成るコア部を有し、シェル部が、ポリメチルメタクリレート、ポリ（メチルメタクリレート−スチレン）、ポリ（メチルメタクリレート−グリシジルメタクリレート）及びこれらの混合物から成る群から選択されたポリマーから成るコア−シェル型ポリマー粒子を分散させて分散物を得、該分散物にさらに熱硬化性樹脂を添加することによって調製する、該熱硬化性樹脂を硬化させて成る電気配線板用積層板及びプリプレグ製造用ワニス組成物の調製方法。
【請求項２】
前記熱硬化性樹脂が、エポキシ樹脂、フェノール樹脂、ポリイミド樹脂及びこれらの混合物から成る群から選択された樹脂から成る、請求項１に記載の調製方法。
【請求項３】
前記熱硬化性樹脂がジヒドロベンゾオキサジン樹脂から成る、請求項２に記載の調製方法。
【請求項４】
前記コア部のゴム状ポリマーが、スチレン−ブタジエンゴム、水素化スチレン−ブタジエンゴム、アクリルゴム及びこれらの混合物から成る群より選択されたポリマーから成る、請求項１に記載の調製方法。
【請求項５】
前記コア−シェル型ポリマー粒子の平均粒径が０．０１〜０．１μｍである、請求項１に記載の調製方法。
【請求項６】
該熱硬化性樹脂を添加した後又は同時に、さらに有機溶媒を添加してワニスとする、請求項１に記載の調製方法。
【発明の詳細な説明】
【０００１】
【発明の属する技術分野】
本発明は、電気配線板用積層板及びプリプレグを製造するのに用いられるワニス組成物に関する。さらに詳しくは、熱硬化性樹脂を含みこれを硬化させて製造される、耐衝撃性改善剤としてコア−シェル型ポリマー粒子を含有させた電気配線板用積層板及びプリプレグ製造用ワニス組成物に関する。
【０００２】
【従来の技術】
一般にコア−シェル型ポリマー粒子は、ゴム状ポリマーから成る軟質コアがそのコアにグラフト結合した硬質ポリマーの“シェル”によって取り囲まれた二層構造の複合材料であり、近年、一次粒子径が０．０１〜０．１μｍのものが多く製造され、プラスチック構造材料などの耐衝撃性改善剤として普及しつつある。コア−シェル型ポリマー粒子を添加、分散させて、材料に効果的に耐衝撃性を付与するためには、コアに採用する材料選択と同時に、分散媒体となる材料に対してポリマー粒子が高い吸着性（アドヒージョン）を有していることが非常に重要である。耐衝撃性を向上させようとする材料に対して十分な混和性（ミシビリティ）を有するよう、ポリマー粒子に採用するシェルの材料は適切に選択されて、効果的な耐衝撃性付与が行われている。
【０００３】
他方、電子素子及び回路配線を積層する電気配線板用積層板は、加工の際に打ち抜き加工を要し、このため耐衝撃強度、機械的応力緩和能力を有することが求められている。このような強度、能力を有することによって、加工時のクラック防止、層間剥離による白化の発生防止、進展抑制が望まれる材料である。このため、従来から非常に剛直で高強度、耐熱性、耐溶剤性にも優れる、熱硬化性樹脂から製造される積層板が一般に用いられている。このような積層板を形成している硬化済樹脂は、分子レベルで見れば、構成ポリマー鎖同士が架橋によって複雑に結び付いた三次元ネットワーク結合構造を有し、このため確かに非常に剛直で高強度であるが、反面この剛直な骨格がために、同時に瞬時的な耐衝撃性、クラックの初期発生に関して時に脆さをも露呈する材料である。
【０００４】
従って、電気配線板用積層板にも、近年種々の分野で用いられてきている前記のごとくのコア−シェル型ポリマー粒子を添加し、その機械的強度、とりわけ耐衝撃性、クラック発生防止能、を高め、加工時十分に“タフ”な積層板材料を得ようとするニーズは依然高い。
【０００５】
【発明が解決しようとする課題】
しかしながら、これまでの検討では、熱硬化性樹脂を硬化させて製造する積層板の場合、製造の過程で、添加したコア−シェル型ポリマー粒子が相互に融着、凝集を起こし、結果として不均一な分散状態を招いてしまい、十分な耐衝撃性を得ることが困難であった。
【０００６】
本発明は、熱硬化性樹脂を硬化させて成る積層板乃至プリプレグを製造するためのワニス組成物において、ポリマー粒子の相互融着を抑制し、該粒子が一次粒子径で分散しているワニス組成物を調製する方法を提供することを目的とする。
【０００７】
【課題を解決するための手段】
本発明は、粘度が２０００ｍＰａ・ｓ以下である樹脂中に、有機溶剤の実質的不存在下かつ６０℃以下の温度にて、ゴム状ポリマーから成るコア部を有するコア−シェル型ポリマー粒子を分散させて分散物を得、該分散物にさらに熱硬化性樹脂を添加することによって調製する、該熱硬化性樹脂を硬化させて成る電気配線板用積層板及びプリプレグ製造用ワニス組成物の調製方法である。
【０００８】
前記分散の過程が６０℃を越える温度、或いは有機溶剤の存在下で行われると、ポリマー粒子の融着、凝集を招き得るので、これらは避けなければならない。前記樹脂中へのコア−シェル型ポリマー粒子の易分散のため、前記樹脂は粘度２０００ｍＰａ・ｓ以下のものを使用する。これを超える粘度の樹脂を使用すると撹拌さえ困難な場合もある。特に液状のものが望ましく、最終的に得られる積層板及びプリプレグの特性をも考え合わせると、液状のビスフェノールＦ型エポキシ樹脂が好適である。
【０００９】
前記シェルは、ポリメチルメタクリレート、ポリ（メチルメタクリレート−スチレン）、ポリ（メチルメタクリレート−グリシジルメタクリレート）或いはこれらの混合物から成るポリマーより構成されることができる。
【００１０】
前記熱硬化性樹脂としては、エポキシ樹脂、フェノール樹脂、ポリイミド樹脂或いはこれらの混合物を用いることができる。特に、ジヒドロベンゾオキサジン樹脂から成ることが望ましい。前記コア部のゴム状ポリマーは、スチレン−ブタジエンゴム、水素化スチレン−ブタジエンゴム、アクリルゴム或いはこれらの混合物から構成されることができる。さらに、前記コア−シェル型ポリマー粒子の平均粒径は０．０１〜０．１μｍであることが望ましい。
【００１１】
熱硬化性樹脂を添加した後又は同時に、さらに有機溶媒を添加してワニスとすることができる。
【００１２】
既に述べたように耐衝撃性を付与させようとする材料と耐衝撃性付与剤として添加するコア−シェル型ポリマー粒子のシェル材料とは相互に高い混和性を有する組み合わせであることが望ましいとされる。本発明者らは、従来の熱硬化性樹脂から製造される電気配線板用積層板においては、実はこの選択が逆に合い矛盾する問題を提起する形になっていたと認識している。
【００１３】
安定した分散状態を達成したワニスを得るための溶媒として、さらには樹脂を硬化させて積層板を得る過程で硬化剤、硬化促進剤として、やはり該熱硬化性樹脂と混和性すなわち親和性の高い有機溶剤を種々介在させなければならないが、このことはこのような必須の溶剤が同じようにシェル材料に対しても親和性良好であることを意味する。すなわち、従来の手法の範囲内では、親和性が良いため有機溶剤分子は容易に薄膜層であるシェル層に侵入し得、内部の軟質コア層を侵し、結果として、添加したコア−シェル型ポリマー粒子が相互に融着、不均一分散を起こし易い状況を招く。このようなことで、従来の積層板においては、熱硬化性樹脂を硬化させて得る積層板の製法と、コア−シェル型ポリマー粒子配合による耐衝撃性付与とが十分両立し得ていなかったと理解される。
【００１４】
本発明では、コア−シェル型ポリマー粒子を有機溶剤の不存在下でまず樹脂中、望ましくは液状の樹脂中に添加し、この混合物の分散状態を達成しておく。この分散体を用いてワニスの調製、硬化反応の進行を行っていく。前記樹脂中でのポリマー粒子の分散過程が既に行われているのであれば、その後のワニス調製、硬化反応において有機溶剤の添加があっても良い。最初の樹脂中へのコア−シェル型ポリマー粒子の分散処理によって、該ポリマー粒子の表面すなわちシェル部外面は分散媒である樹脂によって“濡れ”、吸着を受け、このためこの後は有機溶剤のシェルポリマー分子への直接の攻撃は妨げられ、材料に耐衝撃性を付与する中央のコア部は保護される形となる。他方、外周のシェル部の存在によって、樹脂とコア−シェル型ポリマー粒子とが一体となって、その後の分散過程、硬化反応に付される。なお、このような作用実現の観点からは、最初に用いる前記樹脂とシェルポリマー材料とは、やはり混和性が高い組み合わせであることがより望ましいと言える。
【００１５】
本発明の方法を用いれば、ワニス組成物中に於いてコア−シェル型ポリマー相互の融着など極力防止され、その分散性を格段に向上させることが出来る。従って、本発明の方法によって調製された組成物を用いて積層板を製造すれば、コア−シェル型ポリマーの適切な材料、添加量の設計、選択のもとで、効果的な耐衝撃性付与が期待される。
【００１６】
【発明の実施の形態】
本発明に用いるコア−シェル型ポリマー粒子は、好適には、コア部がスチレン−ブタジエンゴム、水素化スチレン−ブタジエンゴム、アクリルゴム等からなり、シェル部が熱硬化性樹脂への分散性のよいポリメチルメタクリレート、ポリ（メチルメタクリレート−スチレン）、ポリ（メチルメタクリレート−グリシジルメタクリレート）等から構成された２層構造の粒子で、その一次平均粒子径は、約０．０１μｍ〜０．１μｍの微少粒子となっているものである。
【００１７】
本発明で使用するワニス組成物を構成する熱硬化性樹脂としては、例えば、エポキシ樹脂、フェノール樹脂、ポリイミド樹脂等の熱硬化性樹脂が挙がられ、これらの熱硬化性樹脂を２種類以上適宜組み合わせて使用することもできる。特に、剛直な分子構造を有し高弾性な樹脂系において、可撓性、靭性の向上による打抜加工性改善効果は大きく発揮される。熱硬化性樹脂としてさらに具体的には、フェノールノボラック型エポキシ樹脂、クレゾールノボラック型エポキシ樹脂、Ｎ，Ｎ，Ｎ’，Ｎ’−テトラグリシジル−ｐ−フェニレンジアミン、２，４，６−トリグリシジルイソシアヌレート、レゾール型フェノール樹脂、ジヒドロベンゾオキサジン樹脂、ジアリルフタレート樹脂などが好適である。これらの熱硬化性樹脂の中でも、芳香族成分が多くかつ窒素含有化合物であるため難燃性に優れ、更に低吸水であるため吸湿耐熱性に優れた特性を有しながらも、硬く脆い性質のために従来法の範囲では難点のある、下記化学式で表わされるジヒドロベンゾオキサジン樹脂を用いた場合に、最も打抜加工性改善の効果が大きい。本発明の効果をより顕著に得るためには、前記ジヒドロベンゾオキサジン樹脂の含有量は、樹脂組成物全体の２５重量％以上６５重量％以下であることが望ましい。ジヒドロベンゾオキサジン樹脂が２５重量％未満であると、難燃性、吸湿耐熱性という優れた特性が明瞭に現れにくく、６５重量％を超える場合には、硬く脆い性質が顕著となり、打抜加工性が悪化することから好ましくない。なお、これら熱硬化性樹脂は、単独で又は適宜２種類以上組み合わせて使用される。
【００１８】
【化１】
0004474796.tif 000002
（Ｒ1，Ｒ2は特に構造を規定しない有機基、ｎは２以上の正の整数）
本発明のワニス組成物には、さらに必要な硬化剤及び硬化促進剤を添加して硬化反応を進行させることができる。硬化剤及び硬化促進剤としては、それぞれの熱硬化性樹脂について公知の硬化剤及び、硬化促進剤を使用することができ、格別制限はない。また、本発明のワニス組成物には、水酸化アルミニウム、水酸化マグネシウム等の無機水和物、アルミナ、シリカ、ガラス粉等の汎用無機充填剤等を目的に応じて使用可能である。
【００１９】
【実施例】
〔実施例１〕
（１）分散用の樹脂として、液状ビスフェノールＦ型エポキシ樹脂のＹＤＦ−１７０（東都化成社製、エポキシ当量１６９）１０重量部に、コア−シェル型ポリマー粒子として、スチレン−ブタジエンゴム系コア−シェル型ゴムのパラロイドＥＸＬ−２６５５（呉羽化学工業社製）を３重量部を秤量し、添加し、その混合物を５０℃まで昇温し、４時間撹拌、分散した。
【００２０】
（２）ビスフェノールＦ−アニリン型ジヒドロベンゾオキサジン樹脂（樹脂分６５％のメチルエチルケトン溶液、ビスフェノールＦ１００重量部、３７％ホルマリン１６２重量部、メチルエチルケトン１００重量部を混合し、ここへアニリン９３重量部を１時間で添加し、８０℃に昇温して７時間反応させ、これを濃縮脱水して得たもの）を固形分で４３重量部を秤量し、（１）で得た分散体に添加し、さらに撹拌した。
【００２１】
（３）メラミン変性フェノールノボラック樹脂のＬＡ−１３５６（大日本インキ化学工業社製、樹脂分６０％のメチルエチルケトン溶液、窒素含有率１９％）を固形分で２０重量部を秤量し、（２）で得た分散体にさらに添加し、撹拌した。
【００２２】
（４）フェノールノボラック型エポキシ樹脂のＤＥＮ４３８（ダウ・ケミカル社製、樹脂分６５％のメチルエチルケトン溶液、エポキシ当量１８０）を固形分で２４重量部を秤量し、（３）で得た分散体にさらに添加し、撹拌した。
【００２３】
（５）上記（４）で得られたワニス組成物中のコア−シェル型ポリマー粒子の分散状態を、実体顕微鏡にて観察した。観察の評価結果を表１に示した。
【００２４】
〔実施例２〕
実施例１で用いたコア−シェル型ポリマー粒子の代わりに、コア部がアクリルゴム系のポリマーであるコア−シェル型ポリマー粒子：スタフィロイドＡＣ−３３５５（武田薬品工業社製）に置き換え、その他は実施例１と同一の手順を経て、対応する分散体を得た。分散状態観察の評価結果を表１に示した。
【００２５】
〔比較例１〕
実施例１の段階（１）において行った５０℃への昇温、コア−シェル型ポリマー粒子の添加、撹拌、分散を一切行わず、代わりに、実施例１の段階（４）の直後に同一量のコア−シェル型ポリマー粒子の添加を行い、混合物を５０℃まで昇温し、４時間撹拌、分散した以外は、実施例１と同一の手順を経て、対応する分散体を得た。
【００２６】
〔比較例２〕
実施例１の段階（１）で用いた分散用の樹脂の代わりに、フェノールノボラック型エポキシ樹脂：ＤＥＮ４３８（ダウ・ケミカル社製、樹脂分６５％のメチルエチルケトン溶液、エポキシ当量１８０）１０重量部を使用した以外は、実施例１と同一の手順を経て、対応する分散体を得た。
【００２７】
〔比較例３〕
実施例１の段階（１）で用いた分散用の樹脂の代わりに、ビスフェノールＡ型エポキシ樹脂：ＤＥＲ−６６１Ｌ（ダウケミカル社製）を使用し、なおかつ５０℃ではなく８０℃に加温した以外は、実施例１と同一の手順を経て、対応する分散体を得た。
【００２８】
以上の各実施例、比較例で得られた分散体を用いて積層板を製造し、各々について耐衝撃性試験並びに打抜加工性試験を行った。結果を表１中に示す。
【００２９】
耐衝撃性試験
厚さ０．８ｍｍの全面エッチング積層板を試料とし、重量２００ｇの鉄球を１００ｍｍの高さから試料に落下させ、裏面に発生したクラックの直径により評価した。
【００３０】
打抜加工性試験
厚さ１．６ｍｍの全面エッチング積層板を試料とし、幅径１ｍｍのスリットを有する打抜き金型で８０トン油圧プレスによりノックアウト圧８８．２ＫＮ、ホルダー圧１８１．３ＫＮで打抜き、スリット周りに生じた白化量をスリット端部からの長さで評価した。
【００３１】
【表１】
0004474796.tif 000003
【００３２】
【発明の効果】
本発明の方法によれば、熱硬化性樹脂を硬化させて得る電気配線用積層板乃至プリプレグ製造に用いるワニス組成物中にて、添加したコア−シェル型ポリマー粒子相互の融着、不均一分散が効果的に回避でき、一次粒子状態での分散状態が可能となる。結果として、本発明によるワニス組成物を用いれば、耐衝撃性、打抜き加工性が顕著に優れた電気配線板用積層板を製造することができる。